(57)【要約】      （修正有）【課題】実際の出隅入隅の角度を測定すると同時に、測定した実測角に基づいて所定角度で廻縁、見切縁、或いは巾木等の縁部材となる長尺材を罫書くことができる角度測定具を提供する。【解決手段】細長い板状の柄１１に往復動可能なスライダ１２を設け、この柄１１の先端部に細長い板状の２つのブレード１３，１４の各基端部１３ｃ，１４ｃが１つの枢着ピン１７で枢着され、これら各ブレード１３，１４はスライダ１２に枢着された連結桿１５，１６により旋回させられ、２つのブレード１３，１４は、枢着ピン１７を中心にスライダ１２とは反対側に位置する平坦な角度測定面を備え、これら角度測定面で出隅入隅の角度を実測すると共にこの角度測定面を定規にしてその実測角の１／２の線を縁部材となる長尺材に罫書くことができる。【選択図】図１
0003163832.tif 000002
【実用新案登録請求の範囲】
【請求項１】
平坦で且つ平行な上面及び下面を有する細長い板状の柄と、この柄の長さ方向に往復動可能に取り付けられたスライダと、平坦で且つ平行な上面及び下面をそれぞれ有する細長い板状の第１及び第２ブレードと、２つの前記ブレードを枢動させる２つの連結桿とから構成され、
前記第１ブレードの長さ方向における基端部が、前記柄の長さ方向一端の先端部における前記上面に重ね合わされ、更に、前記第２ブレードの長さ方向における基端部が前記第１ブレードの前記基端部上に重ね合わされ、前記柄、前記第１及び第２ブレードの前記基端部が１つの枢着ピンで旋回可能に枢着され、
前記連結桿の各一端部が前記スライダに枢着され、前記連結桿の各他端部が、前記第１及び第２ブレードにおいて前記枢着ピンから等距離の位置で前記各ブレードの前記上面にそれぞれ枢着され、
前記第１及び第２ブレードが、前記枢着ピンを中心に前記スライダとは反対側に位置する平坦な角度測定面を備え、
前記柄が、その長さ方向に延びる仮想の中心線に平行でかつ平坦な両側面を備え、
前記スライダを動かして前記第１及び第２ブレードを旋回させ、建造物の出隅入隅にあてがって該出隅入隅の角度を実測測し、前記両ブレードによる実測角を保持した状態で、縁部材となる長尺材を前記柄の前記側面に密着させて沿わせて一方の前記ブレードの下側を横切って配置し、前記ブレードの前記角度測定面を定規にして実測角に基づいた所定角度で前記長尺材を罫書く角度測定具。
【請求項２】
前記柄が、その前記両側面間の幅寸法中間部に長さ方向に沿って形成されたスロットを備え、前記スライダが前記スロットに嵌合して摺動可能に取り付けられている請求項１に記載の角度測定具。
【請求項３】
前記スライダが、下端に抜け止めを有するネジ軸を備え、前記スロットに、その長さ方向にスライド可能に挿通された前記ネジ軸の上端に前記各連結桿の前記他端部が枢動可能に連結され、前記ネジ軸に前記連結桿の前記他端部を前記柄の上面に押し付けて固定したり緩めたりするナットが螺合されて請求項２に記載の角度測定具。
【請求項４】
前記柄の幅寸法が、前記各ブレードの幅寸法と同じか、若しくはそれより小さい請求項２又は３に記載の角度測定具
【請求項５】
２つの前記ブレードの前記各角度測定面は、該角度測定面を画成する上縁に対して下縁が外側に突出する傾斜面で形成されると共に前記下縁が直線で形成されている請求項１〜４のいずれかに記載の角度測定具。
【請求項６】
前記柄、及び前記第１及び第２測角ブレードが、合成樹脂材又は金属材のいずれかで形成されている請求項１〜５のいずれかに記載の角度測定具。
【考案の詳細な説明】
【技術分野】
【０００１】
本考案は、角度測定具に関し、更に詳細には、例えば、建築物の内外装工事で出隅入隅などにおける実際角度を実測した後に、この角度測定具の一部をそのまま定規にして縦横見切縁、廻縁、或いは巾木となる長尺材などに実測角度に基づいた所定角度で長尺材などを罫書くことができる角度測定具に関する。
【背景技術】
【０００２】
一般的に、木造建築物や鉄筋コンクリート造建築物では、天井面と壁面との間の角部、或いは床面と壁面との間の角部に廻縁或いは巾木などを設置したり、或いは壁面に横見切縁を設置することはよく知られている。また、出隅入隅を境にして連接する各壁面に取り付けられる見切縁、廻縁、或いは巾木（以下、縁部材、と称する）どうしが、この出隅入隅において突き合わされることにより壁面や天井面に沿って連続させていることもよく知られている。通常、出隅入隅での縁部材は、連接する壁面に沿って取り付けられた縁部材どうしを出隅角又は入隅角の１／２の角度に切って突き合わされている。つまり、出隅角が９０度であれば、一方の壁に沿って取り付けられる縁部材となる長尺材の端部を４５度に切り、また他方の壁に沿って取り付けられる縁部材となる端部も４５度に切り、これら４５度で切り落とされた端部同士を出隅で合わせることにより縁部材を見栄えよく連続させることができる。
【０００３】
しかし、実際に建てられた建築物における出隅角や入隅角は、設計どおりではなく微妙に違っていることが多い。すなわち、コンクリート造や木造建築物などにおいて一見すると９０度に見える出隅角や入隅角は、実際に測ると９０．２度であったり８９．３度であったりすることがある。そのため、縁部材となる長尺材を正確に４５度で切り落とし、連接する両壁面にそれらをそれぞれ取り付けてその端部同士を出隅入隅で突き合わせるとその合わせ面が正確に密着せず、隙間ができて非常に体裁が悪い仕上がりとなってしまうことがあった。そこで、特許文献１に開示されている「測角器」と称する角度測定器が考えられた。
【先行技術文献】
【特許文献】
【０００４】
【特許文献１】特開２０００−０９７６０２
【考案の概要】
【考案が解決しようとする課題】
【０００５】
しかし、特許文献１に開示された角度測定器では、実際の建築物における出隅入隅の角度を測るためだけのものであった。従って、縁部材となる長尺材を所定の角度で切断する場合には、最初に、その角度測定器で実測した角度を紙などに写しそれを分度器で測るか、或いは測定器の角度を直接分度器で測って角度値（数値）を確認し、その角度値から計算によって１／２の角度を求め、計算したその角度を縁部材に分度器など適当な道具を使って罫書き、その罫書きに沿って切断するという、作業をしなければならなかった。そのため、作業性が悪く、しかも計算した角度を縁部材の端部に分度器など適当な道具を使って罫書くことから誤差が出やすく、その結果、廻縁、見切縁、或いは巾木を見栄え良く取り付けることができなかった。
【０００６】
本考案の目的は、かかる従来の問題点を解決するためになされたもので、実際の出隅入隅の角度を測定すると同時に、測定した実測角に基づいて所定角度で廻縁、見切縁、或いは巾木等の縁部材となる長尺材を罫書くことができる角度測定具を提供することにある。
【課題を解決するための手段】
【０００７】
本考案は、角度測定具であり、その特徴とするところは、平坦で且つ平行な上面及び下面を有する細長い板状の柄と、この柄の長さ方向に往復動可能に取り付けられたスライダと、平坦で且つ平行な上面及び下面をそれぞれ有する細長い板状の第１及び第２ブレードと、２つの前記ブレードを枢動させる２つの連結桿とから構成され、前記第１ブレードの長さ方向における基端部が、前記柄の長さ方向一端の先端部における前記上面に重ね合わされ、更に、前記第２ブレードの長さ方向における基端部が前記第１ブレードの前記基端部上に重ね合わされ、前記柄、前記第１及び第２ブレードの前記基端部が１つの枢着ピンで旋回可能に枢着され、前記連結桿の各一端部が前記スライダに枢着され、前記連結桿の各他端部が、前記第１及び第２ブレードにおいて前記枢着ピンから等距離の位置で前記各ブレードの前記上面にそれぞれ枢着され、前記第１及び第２ブレードが、前記枢着ピンを中心に前記スライダとは反対側に位置する平坦な角度測定用の側面を備え、前記柄が、その長さ方向に延びる仮想の中心線に平行でかつ平坦な両側面を備え、前記スライダを動かして前記第１及び第２ブレードを旋回させ、建造物の出隅入隅にあてがって該出隅入隅の角度を実測し、前記両ブレードによる実測角を保持した状態で、縁部材となる長尺材を前記柄の前記側面に密着させて沿わせて一方の前記ブレードの下側を横切って配置し、前記ブレードの前記角度測定面を定規にして実測角に基づいた所定角度で前記長尺材を罫書くことにある。
【０００８】
本考案の角度測定具の一実施形態としては、前記柄が、その前記両側面間の幅寸法中間部に長さ方向に沿って形成されたスロットを備え、前記スライダが前記スロットに嵌合して摺動可能に取り付けられている。
【０００９】
本考案の角度測定具における他の実施形態としては、前記スライダが、下端に抜け止めを有するネジ軸を備え、前記スロットに、その長さ方向にスライド可能に挿通された前記ネジ軸の上端に前記各連結桿の前記他端部が枢動可能に連結され、前記ネジ軸に前記連結桿の前記他端部を前記柄の上面に押し付けて固定したり緩めたりするナットが螺合されている。
【００１０】
本考案の角度測定具における他の実施形態としては、記柄の幅寸法が、前記各ブレードの幅寸法と同じか、若しくはそれより小さくされている。
【００１１】
本考案の角度測定具における他の実施形態としては、２つの前記ブレードの前記各角度測定面は、該角度測定面を画成する上縁に対して下縁が外側に突出する傾斜面で形成されると共に前記下縁が直線で形成されている。
【００１２】
さらに、本考案の角度測定具における他の実施形態としては、前記柄、及び前記第１及び第２測角ブレードが、合成樹脂材又は金属材のいずれかで形成されている。
【考案の効果】
【００１３】
本考案の角度測定具によれば、例えば、建築物の出隅角度又は入隅角度をこの角度測定具で実測した後、柄のいずれか一方の側面に縦横見切縁、廻縁、又は巾木となる長尺材を密着させて沿わせ、第１ブレード又は第２ブレードの下側を通過させて横切らせると、柄の側面は、平坦面でかつ長さ方向に延びる中心線に平行であるので、第１ブレード又は第２ブレードの側面と交わる角度は、２つのブレードがなす角度（実測角）をαとすると、α／２となる。そこで、ブレードの側面に沿って長尺材を罫書くと、その線は長尺材の長手方向に対してα／２となる。その結果、例えば、実際の出隅入隅角の１／２の角度で長尺材を切り落とすことができるので、接合部が正確に突き合った見栄えの優れた縦横見切縁、廻縁、巾木を取り付けることができる。
【００１４】
また、本考案の角度測定具によれば、スライダが、柄に形成されたスロットに嵌合して摺動可能に取り付けられているので、柄の両側面を該柄の長さ方向全体に亘って使用することができ、これにより長尺材を柄の側面に安定して沿わせることができるので、長尺材に対して正確に罫書くことができる。
【００１５】
また、本考案の角度測定具によれば、スライダが、薄い台板とその中心に立設したネジ軸とこのネジ軸に螺合されるナットとから構成され、柄と２つの連結桿の各一端部とが、柄の下面側に位置する台板と上面側に位置するナットにより締め付け得るように構成されていることから組み立て分解が容易であって、しかも組み立てによる精度の狂いも起こり難い、という効果がある。
【００１６】
本考案の角度測定具によれば、入隅の角度を測定する場合、柄の幅寸法が第１ブレード及び第２ブレードの幅と同じか若しくはそれより小さいので、両ブレードを大きく開いても２つのブレードの基端部と柄の先端部とを枢着している部分で、各ブレードの角度測定面を越えて外側に飛び出る部分がなく、入隅を境に連接する壁面に各ブレードの角度測定面を密着させることができる。
【００１７】
本考案の角度測定具によれば、各ブレードの角度測定面が、該面を画成している上縁に対して下縁が外側に僅かに突出した傾斜面で形成されているので、長尺材を罫書く時にこの下縁を定規として使用することができ、長尺材を精度良く罫書くことができる。
【００１８】
本考案の角度測定具によれば、柄や第１及び第２ブレードが合成樹脂材又は金属材のいずれかで形成されているので、柄や各ブレードに撓みが起こり難く、出隅入隅の角度を正確に測ることができ、しかも長尺材への罫書きも正確に行うことができる。
【図面の簡単な説明】
【００１９】
【図１】本考案の一実施形態に係る角度測定具を示す平面図。
【図２】図１に示される角度測定具の正面図。
【図３】図２に示される角度測定具の左側面図。
【図４】図１に示される角度測定具の底面図
【図５】角度測定具の第１ブレードを図１の５−５線で切断して示す断面図。
【図６】図５に示される第１ブレードのＡ部分を拡大して示す部分的断面図。
【図７】角度測定具の第２ブレードを図１の７−７線で切断して示す断面図。
【図８】図７に示される第２ブレードのＢ部分を拡大して示す部分的断面図。
【図９】スライダの構成を示す構成説明図。
【図１０】図１の角度測定具のブレードを旋回した状態を示す動作説明図。
【図１１】出隅の角度を測定後にその角度測定具を用いて長尺材を罫書く状態を示す使用説明図。
【考案を実施するための形態】
【００２０】
以下、本考案の角度測定具を図に示される好適な一実施形態について詳細に説明する。本考案の一実施形態に係る角度測定具１０は、図１〜４に示されるように、平坦で且つ相互に平行な上面１１ａ及び下面１１ｂを有する細長い板状の柄１１と、この柄１１の長さ方向に往復動可能に取り付けられたスライダ１２と、平坦で且つ相互に平行な上面１３ａ，１４ａ及び下面１３ｂ，１４ｂをそれぞれ有する細長い板状の第１及び第２ブレード１３，１４と、２つのブレード１３，１４を枢動させる２つの連結桿１５，１６とから構成されている。
【００２１】
柄１１、第１及び第２ブレード１３，１４、及び連結桿１５，１６は、合成樹脂材料又は金属材料で形成され、特に、金属材料の内、ステンレス材により形成されることが好ましい。第１ブレード１３の長さ方向における一端である基端部１３ｃにおける下面１３ｂは、柄１１の長さ方向における一端である先端部１１ｃにおける上面１１ａの上に重ね合わされ、更に、同様に、第２ブレード１４の長さ方向における一端である基端部１４ｃにおける下面１４ｂは、第１ブレード１３の基端部１３cにおける上面１３ａの上に重ね合わされ、柄１１の先端部１１ｃ、第１及び第２ブレード１３，１４の各基端部１３ｃ，１４ｃが１つの枢着ピン１７で旋回可能に枢着されている。また、連結桿１５，１６の各一端部１５ａ，１６ａは、スライダ１２に枢着され、各他端部１５ｂ，１６ｂは、第１及び第２ブレード１３，１４において枢着ピン１７から等距離Ｌの位置で上面１５ａ，１６ａにそれぞれ枢着されている。
【００２２】
第１及び第２ブレード１３，１４は、枢着ピン１７を境にスライダ１２とは反対側に向いた角度測定用の側面、即ち角度測定面１３ｄ，１４ｄ（図５〜図８参照）を備えている。この角度測定面１３ｄ，１４ｄは、図５〜図８に示されるように該角度測定面１３ｄ，１４ｄを画成している縁部、即ち下縁１３ｅ，１４ｅが上縁より外側に僅かに突出するように斜めに形成された傾斜面とされている。これら各ブレード１３，１４における角度測定面１３ｄ，１４ｄの下縁１３ｅ，１４ｅは、該ブレード１３，１４の長さ方向に延びる直線で形成されている。この角度測定具１０では、両ブレード１３，１４におけるこれらの下縁１３ｅ，１４ｅが出隅入隅の角度を測定する際に出隅入隅を境に連接する壁面に密着される。他方、柄１１は、図９に示されるように、その長さ方向に延びる仮想の中心線１１ｄに直交する断面の形状が長方形であり、従って上下面１１ａ，１１ｂに直角な平坦な両側面１１ｅを備えている。
【００２３】
柄１１は、その両側面１１ｅ間の幅寸法中間部に上下面１１ａ，１１ｂを貫通するスロット１１ｆが長さ方向に沿って形成され、スライダ１２がこのスロット１１ｆに嵌合して摺動可能に取り付けられている。すなわち、スライダ１２は、図１０に示されるようにスロット１１ｆの幅寸法よりも大きな直径の薄い円形の台板１２ａ、及びスロット１１ｆを挿通可能な太さを有し、台板１２ａの中心に立設したネジ軸１２ｂと、このネジ軸１２ｂの少なくとも上部若しくは全部に形成されたに螺合されるナット１２ｃとから構成されている。台板１２ａの表面には、上面から見て四角形の突起部１２ｄを備え、該突起部１２ｄの一対の対向する側面間の幅寸法は、スロット１１ｆの幅寸法と同じ寸法とされ、また、台板１２ａからの高さは柄１１の厚さにほぼ等しい。ネジ軸１２ｂは、実質的にこの突起部１２ｄから立ち上がっている。
【００２４】
スライダ１２を柄１１に取り付ける際には、柄１１の下面１１ｂ側からネジ軸１２ｂをスロット１１ｆに挿通させながら台板１２ａに形成されている突起部１２ｄをスロット１１ｆに嵌合させ、台板１２ａを柄１１の下面１１ｂに密着させる。前述したように突起部１２ｄの一対の対向する側面間の幅寸法がスロット１１ｆの溝幅と同じであるので突起部１２ｄはスロット１１ｆに緊密に嵌合し、また突起部１２ｄの台板上面からの高さが柄１１の厚さと同じであるのでスロット１１ｆから柄１１の上面１１ａ側に突出することはない。スロット１１ｆに嵌合した突起部１２ｄから立ち上がっているネジ軸１２ｂには、最初にワッシャ（図示せず）が入れられ、次いで各連結桿１５，１６の他端部１５ａ，１６ａがそれらに形成された穴に該ネジ軸１２ｂを相対的に挿入することで取り付けられる。
【００２５】
次いで、ネジ軸１２ｂにナット１２ｃが螺合されて締め付けられる。このとき、ナット１２ｃの締付け力が、連結桿１５，１６の他端部１５ａ，１６ａに及ぶようにネジ軸１２ｂの上端部からのネジ形成長さを設計しておくことが好ましい。これにより、台板１２ａ上に形成された突起部１２ｄは、その一対の対向する側面がスロット１１ｅの長さ方向に延びる内側面に摺接しながらスロット１１ｆに正確に嵌合し、よってスライダ１２はぶれることなくスロット１１ｆを中心線１１ｄに沿って直線移動をする。
【００２６】
次に、この角度測定具１０の使用方法について図１０及び図１１を参照しながら説明をする。例えば、ある角度αで形成された出隅を境に連接する壁面に廻縁を取り付ける場合、測定者は、柄１１を手に持ち、スライダ１２のナット１２ｃを緩めて該スライダ１２を柄１１のスロット１１ｆ内を柄１１の先端部１１ｃに向かって摺動させる。スライダ１２が柄１１の先端部１１ｃに向かって摺動すると、２つの連結桿１５，１６によって第１ブレード１３と第２ブレード１４とが両者の基端部１３ｃ，１４ｃを枢着している枢着ピン１７を中心に閉じる方向に旋回し、これにより角度測定具１０は、想像線で描かれているようなＹ字形になる。
【００２７】
その後、角度測定具１０を出隅に近づけ、２つのブレード１３，１４によって出隅を挟み込むと同時に更にスライダ１２を柄１１の先端部１１ｃ方向に摺動させて両ブレード１３、１４を閉じ、その各角度測定面１３ｄ，１４ｄ、正確にはこれら角度測定面１３ｄ，１４ｄの下縁１３ｅ，１４ｅを、出隅を挟んで連接する壁面に押し付けて密着させ、その状態でスライダ１２のナット１２ｄを締め付けて連結桿１５，６を柄１１に押し付けて固定する。これにより、Ｖ字状に開いた両ブレード１３，１４は、その状態で保持され、従って両ブレード１３，１４のなす角度が出隅の角度αとなる。
【００２８】
次いで、角度測定具１０を出隅から外し、図１１に示されるように廻縁となる長尺材１８を柄１１の側面１１ｅに密着させて沿わせ、第１ブレード１３の下側を通ってそれを横切らせる。第１ブレード１３の基端部１３ｃは柄１１の先端部上面に接しているので、柄１１の側面１１ｅに沿わせた長尺材１８の上面は、測定者が特に意識をすることなく第１ブレード１３の下面１３ｂに接触するので長尺材１８は安定して角度測定具１０に押し付けられ、動いてずれることがない。その状態で第１ブレード１３の角度測定面１３ｄ、より具体的にはその下縁１３ｅに沿って長尺材１８を罫書く。その結果、第１ブレード１３の側面１３ｄとその下面１３ｂを横切って延びる長尺材１８とのなす角度は、両ブレード１３，１４のなす角度αの半分、即ちα／２となり、従って図１０に示される出隅の角度αが、例えば９２度であった場合には４６度となる。
【００２９】
長尺材１８が薄い板材のようなものであれば、図１１に仮想線で示すように長尺材１８が第１ブレード１３の下を通るように柄１１の一方の側面１１ｅに沿わせると、長尺材１８を安定して角度測定具１０に沿わせた状態で保持し易いが、長尺材１８の板厚が比較的に厚いものであれば、柄１１の他方の側面１１ｅに沿わせ、第２ブレード１４の下面１４ｂを通ってこれを横切るようにし、第２ブレード１４の側面１４ｄ、より具体的にはそれを画成している下縁１４ｅを利用して長尺材１８を罫書くことが好ましい。その理由として、第２ブレード１４は、柄１１の上面１１ａとの間に第１ブレード１３が挟まっているため第１ブレード１３の厚み分だけ柄１１の上面１１ａから離れているので、長尺材１８の上面と側面との程良い位置に第２ブレード１４の上面１４ａと柄１１の他方の側面１１ｅが接触して安定的に沿わせることができるからである。
【００３０】
なお、この角度測定具１０によって入隅の角度を測定する場合には、図１０に実線で示されるように両ブレード１３，１４を開いた状態で３部材、即ち柄１１と２つのブレード１３，１４とが枢着ピン１７で枢着されている部分を出隅に押し込むと同時にスライダ１２を柄１１の先端部１１ｃ方向に摺動させて両ブレード１３、１４を閉じる方向に動かし、その各角度測定面１３ｄ，１４ｄを、入隅を挟んで連接する壁面に押し付けて密着させ、その状態でスライダ１２のナット１２ｄを締め付けて連結桿１５，６を柄１１に押し付けて固定する。その後、長尺材を罫書く方法は、上述した出隅の角度測定に基づいて長尺材を罫書く操作と同じである。
【００３１】
なお、入隅の角度を測定する場合には、前述したように両ブレード１３，１４を開いた状態で３部材、即ち柄１１と２つのブレード１３，１４とが枢着ピン１７で枢着されている部分を出隅に押し込んで、両ブレード１３、１４を閉じる方向に動かし、入隅を挟んで連接している各壁面に、角度測定面１３ｄ，１４ｄ、より具体的にはそれらを画成している下縁１３ｅ，１４ｅを密着させる必要があることから、柄１１の幅寸法が各ブレード１３，１４の幅寸法と同じか、或いはそれより小さい、即ち細いことが必要である。柄１１が、各ブレード１３，１４より細いものであれば、両ブレード１３，１４が開いた状態のときに、柄１１と２つのブレード１３，１４とが枢着ピン１７で枢着されている部分で両ブレード１３，１４の各角度測定面１３ｄ，１４ｄより外側に飛び出す部分がないので、２つの角度測定面１３ｄ、１４ｄが入隅を挟んで連接する壁面に正確かつ確実に密着し、両ブレード１３，１４の開き角が入隅の角度となって、入隅の正確な角度を実測することができる。
【００３２】
以上説明したように、前述した実施形態に係る角度測定具１０によれば、例えば、建築物の出隅角度又は入隅角度を実測した後、柄のいずれか一方の側面に縦横見切縁、廻縁、又は巾木となる長尺材を密着させて沿わせ、第１ブレード又は第２ブレードの下側を通過させて横切らせると、柄の側面は、平坦面でかつ長さ方向に延びる中心線に平行であることから、第１ブレード又は第２ブレードの側面と交わる角度は、２つのブレードがなす角度（実測角）の１／２となる。そこで、ブレードの角度測定面に沿って長尺材を罫書くと、その線は長尺材の長手方向に対して実測した出隅入隅角度の１／２となる。これにより、例えば、実際の出隅入隅角の１／２の角度で長尺材を正確に切り落とすことができるので、切断した縁部材を各壁面に沿って取り付けたとき、出隅入隅で突き合わされる接合部が正確に密着し、その結果、見栄えの優れた縦横見切縁、廻縁、巾木を取り付けることができる。
【符号の説明】
【００３３】
１０    角度測定具
１１    柄
１１ａ    上面
１１ｂ    下面
１１ｃ    先端部
１１ｄ    中心線
１１ｅ    側面
１１ｆ    スロット
１２    スライダ
１３    第１ブレード
１３ａ    上面
１３ｂ    下面
１３ｃ    基端部
１３ｄ    角度測定面
１３ｅ    下縁
１４    第２ブレード
１４ａ    上面
１４ｂ    下面
１４ｃ    基端部
１４ｄ    角度測定面
１４ｅ    下縁
１５，１６    連結桿
１７    枢着ピン
１８    長尺材
【図１】
0003163832.tif 000003
【図２】
0003163832.tif 000004
【図３】
0003163832.tif 000005
【図４】
0003163832.tif 000006
【図５】
0003163832.tif 000007
【図６】
0003163832.tif 000008
【図７】
0003163832.tif 000009
【図８】
0003163832.tif 000010
【図９】
0003163832.tif 000011
【図１０】
0003163832.tif 000012
【図１１】
0003163832.tif 000013